(57)【特許請求の範囲】
【請求項１】
誘電体の表面に導体膜を被覆した誘電体導波管を周辺回路と接続するための入出力構造において、
入出力端において誘電体の底面の導体膜の一部が除去され、
プリント配線板に形成されたマイクロストリップ線路とその誘電体の底面の導体膜とを接続する一直線に伸びるストリップ導体が、プリント配線板と導体膜が除去された部分の誘電体の底面の少なくとも一方に形成され、
そのストリップ導体の両側の位置にプリント配線板の裏面の導体膜を表面に引き出す導体が形成され、その導体によってプリント配線板の裏面の導体膜とその誘電体の側面の導体膜とが接続されたことを特徴とする誘電体導波管の入出力構造。
【請求項２】
誘電体の表面に導体膜を被覆した誘電体導波管を周辺回路と接続するための入出力構造において、
入出力端において誘電体の底面の導体膜の一部が除去され、
プリント配線板に形成された共面線路とその誘電体の底面の導体膜とを接続する一直線に伸びるストリップ導体が、プリント配線板と導体膜が除去された部分の誘電体の底面の少なくとも一方に形成され、
そのストリップ導体の両側の位置にプリント配線板の表裏面の導体膜を接続する導体が形成され、その導体によってプリント配線板の裏面の導体膜とその誘電体の側面の導体膜とが接続されたことを特徴とする誘電体導波管の入出力構造。
【請求項３】
誘電体導波管を外部回路と接続するための入出力構造において、
上記表裏面を接続する導体がプリント配線板に形成されたスルーホールに充填された導体である請求項１または請求項２記載の誘電体導波管の入出力構造。
【発明の詳細な説明】
【０００１】
【発明の属する技術分野】
本発明は誘電体導波管の入出力構造に係るもので、プリント配線基板上に実装して外部回路と接続するための構造に関するものである。
【０００２】
【従来の技術】
従来、マイクロ波帯やミリ波帯において低損失の伝送線路として空洞導波管が主として利用されているが、重量があり、大型となるために小型の機器には利用し難いという問題がある。
【０００３】
そこで、誘電体材料の表面に導体膜を形成した誘電体導波管で伝送線路を構成することが考えられている。誘電体を用いることによる電磁波の短縮効果があり、肉厚の金属壁が必要ないということから、導波管を小型軽量化できるという長所を有している。誘電体導波管は通常用いられるプリント配線基板に搭載できるので、高周波の小型電子回路で有用な共振器、フィルタその他の伝送線路として活用できる可能性がある。
【０００４】
しかし、プリント配線基板に用いられているマイクロストリップ線路と誘電体導波管の線路とでは伝送される電磁波のモードが異なる。そのため、誘電体導波管をプリント配線基板のマイクロストリップ線路に搭載して利用するためには、マイクロストリップ線路から誘電体導波管線路へのモード変換構造が必要となる。このモード変換構造は、単純な構造で広い周波数帯域を有するものが望ましいが、これまでそのような変換構造は実現されておらず、実用化の上で大きな障害となっている。
【０００５】
【発明が解決しようとする課題】
本発明は誘電体導波管をプリント配線基板上に搭載可能とし、簡単な構造で広い帯域にわたって変換を可能とする、誘電体導波管入出力構造を提供するものである。
【０００６】
【課題を解決するための手段】
本発明は、プリント配線基板上にマイクロストリップ線路あるいは共面線路を形成し、誘電体導波管側にも同様な線路を形成することによって、上記の課題を解決するものである。
【０００７】
すなわち、誘電体の表面に導体膜を被覆した誘電体導波管を周辺回路と接続するための入出力構造において、入出力端において誘電体の底面の導体膜の一部が除去され、プリント配線板に形成されたマイクロストリップ線路または共面線路とその誘電体の底面の導体膜とを接続するストリップ導体が、プリント配線板の表面とその誘電体の当該底面の少なくとも一方に形成され、そのストリップ導体の両側にプリント配線板の裏面の導体膜とその誘電体の側面の導体膜とを接続する導体が形成されたことに特徴を有するものである。
【０００８】
【発明の実施の形態】
誘電体導波管の入出力段の底面に、実装するプリント配線基板に設けられた信号線と同様なマイクロストリップ線路状、または共面線路状の電極パターンを形成し、この線路パターンが誘電体導波管の底面で終端される形となる。これをプリント配線基板の信号線と接続できるようにし、プリント配線基板からの信号が誘電体導波管内部の伝送モードと結合するようにする。
【０００９】
変換部のプリント配線基板の側面には導体膜を設ける。あるいは、変換部の基板内に誘電体導波管の幅と同程度の幅で導体を充填したスルーホールを直線的に並べることで導体壁の代用とすることができる。
【００１０】
変換部の理想的な長さは、変換部を伝播する２つのモードの位相定数β1、β2から次の式で計算される。変換部の長さ（Ｌ）をこれに近付けたときに最も反射が少なくなり広帯域な変換特性が得られる。
Ｌ＝π／（β1−β2）
【００１１】
【実施例】
以下、図面を参照して、本発明の実施例について説明する。図１は本発明の実施例を示す斜視図であり、入出力の一端側のみを示したものである。誘電体導波管は直方体の誘電体11とその表面に形成された導体膜からなる。入出力部にはストリップ線路13が端面に向って形成されており、その両側の部分14は導体膜が形成されずに誘電体が露出している。
【００１２】
プリント配線基板15には図示しない裏面の導体膜とそれに対向するストリップ状の導体17からなるマイクロストリップ線路が形成されている。このプリント配線基板15上のマイクロストリップ線路が誘電体導波管の底面で終端される構成となっている。この構造では、基本的にはマイクロストリップ線路の上に底面の導体膜の一部を除去した誘電体導波管を搭載するだけで接続ができることになる。なお、プリント配線基板15の変換部分の端面には導体膜19を形成して、この部分からの電磁波の漏れを防ぐ必要がある。
【００１３】
図２は、本発明の他の実施例を示す斜視図で、誘電体導波管21をプリント配線基板25に搭載することは同じであるが、プリント配線基板25の内部に導体29を形成したものである。実際に図２の構造を実現することは難しいので、図３に示したように、プリント配線基板35に形成したスルーホールに導体39を充填した構造とすることもできる。
【００１４】
プリント配線基板の比誘電率を2.2、誘電体導波管の誘電体材料の比誘電率を4.5として、誘電体導波管の断面寸法を幅4mm、高さ2.5mm、プリント配線基板の厚みを0.381mmとしたときの変換部を伝播するモードを図４に示した。図４に示したような電界分布を有する2つのモードが存在し、この2つの伝播モードの位相定数を計算すると図５に示したようになる。
【００１５】
設計周波数を26GHzとしたとき、第1の伝播モードの位相定数は980(rad/m)、第2の伝播モードの位相定数は727（rad/m）なので、最適な変換部の長さは
Ｌ＝π/（980−727）＝12.4(mm)
と計算される。
【００１６】
比誘電率4.5の誘電体材料で上記サイズで全長36mmの誘電体導波管の両端に長さ12mmの変換部を配置した、図6のような測定サンプルを試作して、測定したところ図７に示した特性が得られた。この実測特性は23GHzから30GHzまでの広い周波数帯でリターンロスが15Db以上になっている。また設計周波数である26GHzにおける挿入損失は僅か0.3dBという結果が得られた。
【００１７】
なお、本発明は上記の誘電体導波管だけでなく、広く導波管型の誘電体フィルタや共振器の入出力構造として利用することができる。また、共面線路でも同様に接続することができる。
【００１８】
【発明の効果】
本発明によれば、プリント配線基板上の信号線路が延長されて連続した形状の導体誘電体導波管の入出力段内部にはいり込んで終端しているため、誘電体の底面にマイクロストリップと同様のモードの電流が流れる。変換部にはマイクロストリップ線路と類似の電磁波のモードと誘電体導波管と類似の電磁波のモードが同時に混在し、この2つのモードの間でエネルギーの変換が行われる。前記の計算式で決定される長さにおいて、マイクロストリップ線路のエネルギーが全て導波管型誘電体フィルタなどとなる誘電体導波管内のエネルギーに変換される。
【００１９】
本発明の構造を採用すれば、誘電体導波管の変換部の信号線がプリント配線基板の信号線と同じ平面にあるので、連続性が保たれ、不連続部によって生じる高周波信号の反射を抑圧することができる。
【００２０】
更に、誘電体導波管には特別な機械加工の必要がなく、導体膜を形成するだけで済む、広帯域のモード変換が可能な入出力構造が得られる。誘電体導波管をプリント配線基板に搭載することが可能となり、通信用電子機器の小型か、軽量化の効果も大きい。
【図面の簡単な説明】
【図１】  本発明の実施例を示す斜視図
【図２】  本発明の他の実施例を示す斜視図
【図３】  本発明の他の実施例を示す斜視図
【図４】  本発明による誘電体導波管の入出力構造の電界分布を示す説明図
【図５】  本発明による誘電体導波管の位相定数を示す説明図
【図６】  本発明の他の実施例を示す斜視図
【図７】  本発明による誘電体導波管の特性の説明図
【符号の説明】
11、21：誘電体導波管
15、25、35：プリント配線基板
19、29、39：導体
【図１】
0003902062.tif 000002
【図２】
0003902062.tif 000003
【図３】
0003902062.tif 000004
【図４】
0003902062.tif 000005
【図５】
0003902062.tif 000006
【図６】
0003902062.tif 000007
【図７】
0003902062.tif 000008